(57)【要約】【課題】  本発明は、縁石や道路構造物を避けて設置できるとともに、自動車や歩行者の通行スペースを妨げない工事予告看板を提供することにある。【解決手段】  車道あるいは歩道に設置して運転者や歩行者に道路状況を知らせる工事予告看板であって、表示部１と脚部２とを備えており、表示部１は、二枚の板体３が開閉可能に軸支してあり、軸部４と軸受部５を上側に位置させて各板体３，３を道路進行方向の一側と他側にそれぞれ配置し、脚部２は、表示部１の下方に間隔をあけて配置してあり、脚部２，２の間には、縁石１３を跨ぐことのできるスペースＳを有しており、表示部１には縁石１３または縁石１３の近傍に設置してある道路構造物１４を挿通する挿通孔７が設けてあることを特徴とする。【選択図】      図１
2016095344.tif 000002
【特許請求の範囲】
【請求項１】
車道あるいは歩道に設置して運転者や歩行者に道路状況を知らせる工事予告看板であって、表示部と脚部とを備えており、
表示部は、二枚の板体が開閉可能に軸支してあり、軸部と軸受部を上側に位置させて各板体を道路進行方向の一側と他側にそれぞれ配置し、脚部は、表示部の下方に間隔をあけて配置してあり、脚部の間には、縁石を跨ぐことのできるスペースを有しており、表示部には縁石または縁石の近傍に設置してある道路構造物を挿通する挿通孔が設けてあることを特徴とする工事予告看板。
【発明の詳細な説明】
【技術分野】
【０００１】
本発明は、道路状況を告知するための工事予告看板に関するものである。
【背景技術】
【０００２】
工事予告看板は、車道を走行する自動車の運転手や、あるいは、歩道を歩く歩行者の邪魔にならないように、道路の道端や歩道に設置されている。
【先行技術文献】
【特許文献】
【０００３】
【特許文献１】特開２００７−８６７０５号公報
【発明の開示】
【発明が解決しようとする課題】
【０００４】
工事予告看板は、上記のように道端や歩道に設置されるが、車道と歩道の境界には縁石が設けてあるものが多い。さらに、縁石の近傍には、光反射板によってドライバーに道路のカーブや歩道との境界を知らせるデリネーター等のポール状の道路構造物が設置されている。このことから、道端に工事予告看板を設置するときには、上記の縁石や道路構造物が邪魔になる。さらに、工事予告看板を設置する際、縁石や道路構造物を避けて車道や歩道の上に工事予告看板を設置しなければならず、比較的道幅の狭い道路では、工事予告看板の設置により、自動車や歩行者の通行スペースを狭めてしまい、自動車や歩行者が工事予告看板に当たる懸念があった。
【０００５】
本発明は上記課題を鑑みてなされたものであり、縁石や道路構造物を避けて設置できるとともに、自動車や歩行者の通行スペースを妨げない工事予告看板を提供することにある。
【課題を解決するための手段】
【０００６】
本発明は、車道あるいは歩道に設置して運転者や歩行者に道路状況を知らせる工事予告看板であって、表示部と脚部とを備えており、表示部は、二枚の板体が開閉可能に軸支してあり、軸部と軸受部を上側に位置させて各板体を道路進行方向の一側と他側にそれぞれ配置し、脚部は、表示部の下方に間隔をあけて配置してあり、脚部の間には、縁石を跨ぐことのできるスペースを有しており、表示部には縁石または縁石の近傍に設置してある道路構造物を挿通する挿通孔が設けてあることを特徴とする。
【発明の効果】
【０００７】
本発明によれば、脚部間の間隔によって工事予告看板が縁石を跨いで設置できることで、比較的道幅の狭い道路であっても通行スペースを狭めず、自動車や歩行者が安全に道路を通行できる。さらに、工事予告看板の表示部に挿通孔を有することで、縁石の上部または縁石の近くに設けられるデリネーター等の棒状の道路構造物を貫通させることができる。これにより、縁石と一緒にあらかじめ設けてある道路構造物を遮ることなく工事予告看板を設置できるとともに、同時に工事予告看板の表示する情報もドライバーや歩行者に伝えることができる。
【図面の簡単な説明】
【０００８】
【図１】本実施による工事予告看板の設置状態を示す斜視図である。
【図２】本実施による工事予告看板の使用状態を示す（ａ）は、正面図であり、（ｂ）は、側面図である。
【図３】本実施による工事予告看板の折りたたんだ搬送時の状態を示す（ａ）は、看板側部を示す側面図であり、（ｂ）は、看板上部を示す上面図であり、（ｃ）は、（ａ）中Ａを拡大し、使用状態を示す縦断面図であり、（ｄ）は、（ｂ）中Ｂを拡大して示す上面図である。
【図４】本発明の工事予告看板の他の実施形態を示す（ａ）は、土嚢袋を取り付けた状態を示す正面図であり、（ｂ）は、ウェイトを取り付けた側面図である。
【発明を実施するための最良の形態】
【０００９】
以下、本発明の工事予告看板の実施形態を図面に基づいて説明する。
本実施による工事予告看板は、図１と図２（ａ）（ｂ）のように、表示部１と脚部２とから構成されている。このうち表示部１は、縦長ほぼ矩形状をなす二枚の板体３を軸部４と軸受部５で開閉自在に連結したものである。板体３は、軸部４と軸受部５、さらには、脚部２と樹脂で一体成形してあり、軽量であることから、搬送時や設置作業の負担が軽減される。また、軸部４と軸受部５は、板体３の上端縁の間隔をあけた二箇所に設けてあり、板体３，３を安定して開閉することができる。また、板体３は、図３（ａ）（ｂ）のように、二枚を閉じたときに、一方の板体３が他方の板体３に入り込むことで、単純に二枚の板体３を重ねた厚みよりも薄くすることができ、搬送時や保管時に嵩張らないように形成されている。さらに、板体３は、工事の予告情報を表示する表示面６と、道路構造物１４を挿通する挿通孔７が配置してある。このうち表示面６は、本実施形態のものでは、板体３の上側と挿通孔７を挟んだ下側にそれぞれ設けてある。また、表示面６に工事予告情報の印刷された表示シール８が貼られるが（図１参照）、表示面６の上端と下端が凹凸状に縁取り９がされていることから、その縁取り９がガイドとなって表示シール８を貼りやすくなっている。さらに、挿通孔７は、本実施のものでは角丸矩形状をなしており、板体３のほぼ中央の二箇所に並列で配置してある。また、二つの挿通孔７，７の間には間柱７ａがあり、この間柱７ａには、図４（ｂ）のように、一方の板体３と他方の板体３の各挿通孔７を利用してウェイト１７を掛け渡すことで、風の強い場所など、設置環境にあわせて本工事予告看板を安定して設置できるようになる。
【００１０】
脚部２は、図２（ａ）（ｂ）のように、板体３の下端部から下方に延びるものであり、本実施のものでは、板体３の下端部中央を切り欠き、板体３の下端の両側に間隔をあけて配置するものである。また、脚部２の下端には、突部２ａが設けてあり、この突部２ａによって地面や積雪路面に食い込むことにより、設置時の安定性を高めることができる。
【００１１】
また、本実施による工事予告看板には、二枚の板体３が軸部４と軸受部５を挟んで対面する縁部に、図３（ａ）（ｃ）のように、表示面６とは区画された段状をなす被取付部１０が設けてある。この被取付部１０には、山切り状の多数の係止部が設けてあり、この係止部に固定金具などが係止することにより、警告灯などの照明器具を支持するクランプ１５を安定して取り付けることができる。さらに、被取付部１０には、二枚の板体３が対面する箇所に、図３（ｂ）（ｄ）のように、半円弧状に窪んだ挟持受部１１が設けてある。挟持受部１１には、工事予告看板を立てたときに、差込式の灯具の差込部１６を挟んで安定して保持することができる。また、脚部２には、紐通し孔１２が設けてあり、この紐通し孔１２には、図４（ａ）のように、土嚢袋１８などを括り付けることができ、工事予告看板の設置時に風などで倒れないようにするための対策が施せるようになっている。
【００１２】
上記のように本実施による工事予告看板を形成することにより、以下に示す作用・効果を奏することになる。
図１と図２（ａ）（ｂ）のように、本工事予告看板を道路の道端に設置したときに、道路の縁石１３を両側の脚部２で跨ぐかたちで設置することができる。さらに、道路の縁石１３に沿ってデリネーターなどの棒状の道路構造物１４が起立していた場合、表示部１の挿通孔７に道路構造物１４を挿通することで、上記した道路構造物１４に妨げられることなく、本工事予告看板を道端に設置することができる。これにより、本工事予告看板を設置しても歩道や車道を可能な限り狭めることなく、さらに、縁石１３のある場所でも脚部２，２間に設けたスペースＳで避けることができることから、本工事予告看板を安定して設置できる。
【００１３】
本発明の工事予告看板は、特許請求の範囲内であれば、適宜変更することができる。
表示部１を構成する板体３は、上記実施形態では縦長矩形状のものであったが、道端に設置したときに、車両や歩行者の通行の邪魔にならない形状であれば限定するものではない。挿通孔７の大きさや数、さらには、表示部１における配置位置についても限定しない。挿通孔７の位置は、工事予告看板を設置する現場を想定して変更することも可能である。また、脚部２の長さは道路の縁石１３よりも高くしてあり、さらに、脚部２間の間隔については、道路の縁石１３よりも広く形成してあればよい。表示面６に表示する情報についても、歩行者や運転手が事前に道路状況を知ることのできるものであれば特に限定するものではない。
【符号の説明】
【００１４】
１  表示部
２  脚部
２ａ  突部
３  板体
４  軸部
５  軸受部
６  表示面
７  挿通孔
７ａ  間柱
８  表示シール
９  縁取り
１０  被取付部
１１  挟持受部
１２  紐通し孔
１３  縁石
１４  道路構造物
１５  クランプ
１６  差込部
１７  ウェイト
１８  土嚢袋
Ｓ  スペース
【図１】
2016095344.tif 000003
【図２】
2016095344.tif 000004
【図３】
2016095344.tif 000005
【図４】
2016095344.tif 000006